(57)【要約】      （修正有）【課題】ボビンを大量に保管する場合、ボビンの糸の判別や糸の絡まりの防止などボビンの効果的な整理を可能とした連結体を提供する。【解決手段】ボビン整理用連結体は、弾力性のある樹脂系の素材を用い、ボビン整理用連結体の本体部１と連続した脚部２が、ボビンの円盤の外周よりも外側となり、隣り合う二つの脚部の角を線で結ぶとボビンの外周が内側になり、かつ、脚部先端の中央を結ぶと正三角形となるような三つの脚部２と、それぞれの脚部２の先端中央から本体部中心に向かって糸留め用切り込み３を設け、さらに本体部１の左右の側面中央部に設けられたボビン中心部の貫通孔中央までの長さを有する突起の先端中央から本体部１を経由し反対側の突起の先端まで貫通孔を設け、二つの突起先端から本体部１の中心に向かって十文字に切り込みを入れて突起に伸縮性を持たせた凸部４とで構成される。【選択図】図１
0003145132.tif 000002
【実用新案登録請求の範囲】
【請求項１】
ボビン整理用連結体の本体部１と連続した脚部２が、ボビンの円盤の外周よりも外側となり、隣り合う二つの脚部の角を線で結ぶとボビンの外周が内側になり、かつ、脚部先端の中央を結ぶと正三角形となるような三つの脚部２と、それぞれの脚部２の先端中央から本体部中心に向かって糸留め用切り込み３と、本体部１の左右の側面中央部に設けられたボビン中心部の貫通孔中央までの長さを有する突起の先端中心から本体部１を経由し反対側の突起の先端まで貫通孔を設け、さらに二つの突起先端から本体部１の中心に向かって十文字に切り込みを入れて突起に伸縮性を持たせた凸部４から構成されるボビン整理用の連結体。
上記のボビン整理用連結体の本体部１の凸部４をボビン中心部の貫通孔に挿入しボビンを挟んだ状態で次のボビン整理用連結体の本体部１の凸部４を反対側のボビン中心部の貫通孔に挿入することでボビン整理用連結体の凸部４がボビンを挟んで任意の個数を連結することが可能となることにより、ボビンを垂直に保管することができ、糸の判別を容易にするとともに、効果的なボビン整理を可能にしたボビン整理用連結体。
【考案の詳細な説明】
【産業上の利用分野】
【０００１】  本発明は、ミシンで使用するボビンが二つの円盤を有するためボビンを水平に保管することが多く、使用したい糸を見つけるのが大変であった。また、ボビンの構造上、糸留めの切込みが付いていないため、糸が絡まるなど保管上わずらわしい問題があった。
本発明はボビンの円盤中心部に設けられた円筒状の貫通孔に着目し、ボビンの整理上の諸問題を解決することを可能とした。
【背景技術】
【０００２】  従来のボビン整理用の製品は、糸巻きの中心部に設けられた円筒状の貫通部とボビンを一対一で連結する連結体があるが、これではボビンの整理は可能であるが、ボビンの糸留めが付いていないため整理上のわずらわしさは解決できない。また、ボビンを１個毎保管する整理箱もあるが、ボビンを大量に保管するような整理には適さない。
【考案が解決しようとする課題】
【０００３】  本発明は、ボビンを大量に保管する場合、ボビンの糸の判別や糸の絡まりの防止などボビンの効果的な整理を可能とした。
【課題を解決するための手段】
【０００４】  ボビン整理用連結体の本体部１と連続した脚部２が、ボビンの円盤の外周よりも外側となり、隣り合う二つの脚部の角を線で結ぶとボビンの外周が内側になり、かつ、脚部先端の中央を結ぶと正三角形となるような三つの脚部２と、それぞれの脚部２の先端中央から本体部中心に向かって糸留め用切り込み３が設けられ、さらに本体部１の左右の側面中央部に設けられたボビン中心部の貫通孔中央までの長さを有する突起の先端中央から本体部１を経由し反対側の突起の先端まで貫通孔を設け、二つの突起先端から本体部１の中心に向かって十文字に切り込みを入れて突起に伸縮性を持たせた凸部４をボビン中心部の貫通孔に挿入し、ボビンを挟んだ状態で次のボビン整理用連結体の本体部１の凸部４を反対側のボビン中心部の貫通孔に挿入することで、ボビン整理用連結体の凸部４がボビンを挟んで任意の個数を連結することが可能となることにより、ボビンを垂直に保管することができ、糸の判別を容易にするとともに、糸留めを使用することで糸の絡まりも防止することができ、効果的なボビン整理を可能にしたボビン整理用連結体。
【考案の効果】
【０００５】  本発明によるボビン整理用連結体を使用することにより、ボビンを大量に保管しても糸の判別が分かりやすく、かつ、糸の絡みも防止でき、ボビン整理上のわずらわしさが解決される。
【実施例】
【０００６】  本発明のボビン整理用連結体は、弾力性のある樹脂系の素材を用い、ボビン整理用連結体の本体部１と連続した脚部２が、ボビンの円盤の外周よりも外側となり、隣り合う二つの脚部の角を線で結ぶとボビンの外周が内側になり、かつ、脚部先端の中央を結ぶと正三角形となるような三つの脚部２と、それぞれの脚部２の先端中央から本体部中心に向かって糸留め用切り込み３を設け、さらに本体部１の左右の側面中央部に設けられたボビン中心部の貫通孔中央までの長さを有する突起の先端中央から本体部１を経由し反対側の突起の先端まで貫通孔を設け、二つの突起先端から本体部１の中心に向かって十文字に切り込みを入れて突起に伸縮性を持たせた凸部４とで構成される。
ボビン整理用連結体の凸部４をボビン中心部の貫通孔に挿入し、ボビンを挟んだ状態で次のボビン整理用連結体の本体部１の凸部４を反対側のボビン中心部の貫通孔に挿入することで、ボビン整理用連結体の凸部４がボビンを挟んで任意の個数を連結することが可能となることにより、ボビンを垂直に保管することができ、糸の判別を容易にするとともに、糸留めを使用することで糸の絡まりも防止することができ、効果的なボビン整理を可能にした。
【図面の簡単な説明】
【図１】本考案の実施例を分かりやすく表示した側面図である。
【図２】本考案の正面図である。
【図３】本考案の実施例となる正面図である。
【図４】本考案の実施例となる背面図である。
【符号の説明】
１本体部  ２脚部、３糸留め用切り込み、４凸部
【図１】
0003145132.tif 000003
【図２】
0003145132.tif 000004
【図３】
0003145132.tif 000005
【手続補正書】
【提出日】平成20年6月23日(2008.6.23)
【手続補正１】
【補正対象書類名】実用新案登録請求の範囲
【補正対象項目名】全文
【補正方法】変更
【補正の内容】
【実用新案登録請求の範囲】
【請求項１】
ボビン整理用連結体の本体部１と連続した脚部２が、ボビンの円盤の外周よりも外側となり、隣り合う二つの脚部の角を線で結ぶとボビンの外周が内側になり、かつ、脚部先端の中央を結ぶと正三角形となるような三つの脚部２と、それぞれの脚部２の先端中央から本体部中心に向かって糸留め用切り込み３と、本体部１の左右の側面中央部に設けられたボビン中心部の貫通孔中央までの長さを有する突起の先端中心から本体部１を経由し反対側の突起の先端まで貫通孔を設け、さらに二つの突起先端から本体部１の中心に向かって十文字に切り込みを入れて突起に伸縮性を持たせた凸部４から構成されるボビン整理用の連結体。
【手続補正２】
【補正対象書類名】図面
【補正対象項目名】全図
【補正方法】変更
【補正の内容】
【図１】
0003145132.tif 000006
【図２】
0003145132.tif 000007
【図３】
0003145132.tif 000008
【図４】
0003145132.tif 000009